(57)【特許請求の範囲】
【請求項１】
読取り書込み装置と、
前記読取り書込み装置との間で無線通信が可能な情報装置と、
を含む、情報装置の情報にアクセスするための情報アクセス・システムであって、
前記読取り書込み装置は、データ要求信号を送信しフラグ設定要求を送信する第１の送信部と、応答を受信し検出データを受信する第１の受信部とを具えるものであり、
前記情報装置は、
前記読取り書込み装置から送信されるデータ要求信号を受信する第２の受信部と、
前記第２の受信部によるデータ要求信号の受信に応じて、応答信号を前記読取り書込み装置に送信するための第２の送信部と、
物理的な量または状態を検出するセンサから前記物理的な量または状態に対応する検出データを取得するための検出データ取得部と、
前記検出データ取得部により取得された検出データを格納するための検出データ記憶部と、
前記情報装置における電力供給を付勢し消勢する電源スイッチと、
前記検出データ取得部を反復的な所定のタイミングで起動させ、前記検出データ取得部からの検出データを前記検出データ記憶部に格納する第１の制御部と、
前記検出データ記憶部に検出データが格納されたときに、読取り済みでない状態を表す第１の状態にフラグを設定し、前記情報装置において電力供給が付勢されている期間において、前記第２の受信部を反復的な所定のタイミングで起動し、前記第２の受信部においてデータ要求信号が受信された場合に、前記フラグが前記第１の状態の場合にのみ、前記検出データ記憶部に格納された検出データを前記第２の送信部に送信させ、前記電源スイッチがオフ状態であるときに前記フラグが前記第１の状態であれば警報を可視または可聴表示し、前記第２の受信部において前記フラグ設定要求が受信されたとき前記フラグを、読取り済み状態を表す第２の状態に設定し、前記電源スイッチがオフ状態であるときに前記フラグが前記第２の状態であれば前記情報装置における電力供給を消勢する第２の制御部と、
を具えるものであること
を特徴とする情報アクセス・システム。
【請求項２】
読取り書込み装置との間で無線通信が可能な情報装置であって、
前記読取り書込み装置から送信されるデータ要求信号を受信する受信部と、
前記受信部によるデータ要求信号の受信に応じて、応答信号を前記読取り書込み装置に送信するための送信部と、
物理的な量または状態を検出するセンサから前記物理的な量または状態に対応する検出データを取得するための検出データ取得部と、
前記検出データ取得部により取得された検出データを格納するための検出データ記憶部と、
前記情報装置における電力供給を付勢し消勢する電源スイッチと、
前記検出データ取得部を反復的な所定のタイミングで起動させ、前記検出データ取得部からの検出データを前記検出データ記憶部に格納する第１の制御部と、
前記検出データ記憶部に検出データが格納されたときに、読取り済みでない状態を表す第１の状態にフラグを設定し、前記情報装置において電力供給が付勢されている期間において、前記受信部を反復的な所定のタイミングで起動し、前記受信部においてデータ要求信号が受信された場合に、前記フラグが前記第１の状態の場合にのみ、前記検出データ記憶部に格納された検出データを前記送信部に送信させ、前記電源スイッチがオフ状態であるときに前記フラグが前記第１の状態であれば警報を可視または可聴表示し、前記受信部においてフラグ設定要求が受信されたとき前記フラグを、読取り済み状態を表す第２の状態に設定し、前記電源スイッチがオフ状態であるときに前記フラグが前記第２の状態であれば前記情報装置における電力供給を消勢する第２の制御部と、
を具えることを特徴とする情報装置。
【請求項３】
前記第２の制御部は、前記検出データ記憶部に格納された検出データを前記送信部に送信させた後、前記フラグを第２の状態に設定するものであることを特徴とする、請求項２に記載の情報装置。
【請求項４】
読取り書込み装置との間で無線通信が可能な情報装置に用いられるプログラムであって、
検出データ取得部を反復的な所定のタイミングで起動させ、前記検出データ取得部により、物理的な量または状態を検出するセンサから前記物理的な量または状態に対応する検出データを取得し、前記取得された検出データを記憶部に格納し、
前記記憶部に検出データが格納されたときに、読取り済みでない状態を表す第１の状態にフラグを設定し、
前記情報装置において電力供給が付勢されている期間において、受信部を反復的な所定のタイミングで起動し、前記受信部により、前記読取り書込み装置から送信されるデータ要求信号が受信されたとき、前記フラグが前記第１の状態の場合にのみ、前記記憶部に格納された検出データを送信部に送信させ、
前記情報装置の電源スイッチがオフ状態であるときに前記フラグが前記第１の状態であれば警報を可視または可聴表示し、
前記受信部によりフラグ設定要求が受信されたとき前記フラグを、読取り済み状態を表す第２の状態に設定し、
前記電源スイッチがオフ状態であるときに前記フラグが前記第２の状態であれば前記情報装置における電力供給を消勢する
処理を情報装置に実行させるよう動作可能なプログラム。
【請求項５】
読取り書込み装置との間で無線通信が可能な情報装置において、前記読取り書込み装置にデータを送信する方法であって、
前記情報装置が、
受信部により、前記読取り書込み装置から送信されるデータ要求信号を受信し、
物理的な量または状態を検出するセンサから前記物理的な量または状態に対応する検出データを取得し、
前記取得された検出データを記憶部に格納し、
前記記憶部に検出データが格納されることに応じて、読取り済みでない状態を表す第１の状態にフラグを設定し、
前記データ要求信号の検知に応じて、前記フラグが前記第１の状態の場合にのみ、前記記憶部に格納された検出データを前記読取り書込み装置に送信し、
前記受信部によりフラグ設定要求が受信されたとき前記フラグを、読取り済み状態を表す第２の状態に設定し、
前記情報装置の電源スイッチがオフ状態であるときに前記フラグが前記第１の状態であれば警報を可視または可聴表示し、
前記電源スイッチがオフ状態であるときに前記フラグが前記第２の状態であれば前記情報装置における電力供給を消勢する
処理を実行することを特徴とする方法。
【発明の詳細な説明】
【技術分野】
【０００１】
本発明は、非接触で情報の読取り書込みが可能な非接触情報装置に関し、特に、物理的量または状態を検出するセンサを有しそのセンサによる検出値を蓄積するＲＦ ＩＤタグまたは非接触ＩＣカードに関する。
【背景技術】
【０００２】
バッテリ給電型すなわちアクティブ・タイプ（アクティブ型）のＲＦＩＤタグは、商品等に取り付けられまたは人によって携帯され、それら商品および人に関するＩＤおよび情報を搬送する所定の周波数のＲＦ信号を送信し、そのＲＦ信号はリーダ装置によって読み取られる。その読み取られた情報はコンピュータ等によってさらに処理され、商品の流通および人の行動を監視および管理できる。バッテリ給電によるアクティブ・タイプのＲＦＩＤタグは、電力をリーダ／ライタ装置から非接触で受け取るパッシブ・タイプのＲＦ ＩＤタグに比べて、通信可能距離が比較的長く、実用的である。
【０００３】
周囲の環境における物理的量を検出するセンサを有しそのような検出値のデータを蓄積するＲＦＩＤタグを、リーダ／ライタ装置によって読み取ることによって、ＩＤと共に検出値データを収集することができる。
【０００４】
２０００年４月２１日付けで公開された特開２０００−１１３１３０号公報（Ａ）には、低消費電力のＩＣタグ検知システムが記載されている。そのシステムは、通信回路と制御部と、これらに電池から電力を供給する電源部と、計時手段と、を備え、所定の設定時刻ごとに送信を行うＩＣタグであって互いに設定時刻の異なるものを複数個備えるとともに、これらとの通信に基づいてそれぞれの有無を検知する検知機も備えていて、検知機が、通信回路を有し、その受信の有無をＩＣタグそれぞれの設定時刻ごとに逐次判別して検知を行う。検知機からの問い合わせが無いので、ＩＣタグは無駄な反応や電池消耗を回避できる。
【特許文献１】特開２０００−１１３１３０号公報
【０００５】
２００１年９月１４日付けで公開された特開２００１−２５１２１０号公報（Ａ）（米国特許第６９２２４０２号Ｂ１に対応）には、二重リンクにおいて、両ノードの送信機に、それぞれ独立した基準発振器を必要としない周波数ロックの実現方法が記載されている。全二重リンクにおいて、受信周波数の情報を利用して、送信機の搬送周波数を同調させることによって、リンクにおける両ノードの送信周波数を同時にロックする。第一の送信機の搬送周波数におけるオフセットは、対応する第二の受信機におけるオフセットとして検出される。第二の受信機は、検出したオフセットに応じて当該送信機の搬送周波数を偏移させ、第一の送信機に検出されたオフセットを知らせる。第一の受信機において検出されたオフセットによって、当該送信機の搬送周波数が補正される。
【特許文献２】特開２００１−２５１２１０号公報
【０００６】
２００６年３月１６日付けで公開された特開２００６−７２７２７号公報には、センサ付き非接触ＩＣタグが記載されている。そのセンサ付き非接触ＩＣタグにおいて、制御部からクロックに出力されるクロックセット信号は、制御部とクロックとの間にタグ有効期間判定部を備えた電気回線を介して出力される。そのタグ有効期間判定部には、制御部からタグ有効期間設定信号が出力されるように構成されている。制御部とクロックの間にタグ有効期間判定部を介在させることによって、タグ有効期間におけるクロックの操作を不能にすることができる。それによって、暗号やキ一ワードによらずに、測定結果の改ざんを不可能または困難にするとともに、再利用が可能となる。
【特許文献３】特開２００６−７２７２７号公報
【発明の開示】
【発明が解決しようとする課題】
【０００７】
発明者たちは、ＲＦ ＩＤタグが物理的な量または状態を検出してその検出した物理的な量または状態を表すデータを蓄積しても、その蓄積された検出データを読み取る前にＲＦ ＩＤタグがターンオフされると、リーダ／ライタ装置によってＲＦ ＩＤタグからその蓄積された検出データを読み取り損なうことがある、と認識した。
【０００８】
本発明の目的は、ＲＦ ＩＤタグの電源スイッチがオフ状態にされても、ＲＦ ＩＤタグに読み出されていない検出データがある場合には、電源を制御してその検出データが消去されないようにすることである。
【０００９】
本発明の別の目的は、ＲＦ ＩＤタグが電源オフ状態にされる前に、ＲＦ ＩＤタグにおける蓄積された検出データをリーダ／ライタ装置に送信させることである。
【課題を解決するための手段】
【００１０】
本発明の特徴によれば、読取り書込み装置との間で無線通信が可能な情報装置は、その読取り書込み装置から送信されるデータ要求信号を受信する受信部と、その受信部によるデータ要求信号の受信に応じて、応答信号をその読取り書込み装置に送信するための送信部と、物理的な量または状態を検出するセンサからその物理的な量または状態に対応する検出データを取得するための検出データ取得部と、その検出データ取得部により取得された検出データを格納するための検出データ記憶部と、その情報装置における電力供給を付勢し消勢する電源スイッチと、その検出データ取得部を反復的な所定のタイミングで起動させ、その検出データ取得部からの検出データをその検出データ記憶部に格納する第１の制御部と、その検出データ記憶部に検出データが格納されたときに、読取り済みでない状態を表す第１の状態にフラグを設定し、その情報装置において電力供給が付勢されている期間において、その受信部を反復的な所定のタイミングで起動し、その受信部においてデータ要求信号が受信された場合に、前記フラグが前記第１の状態の場合にのみ、その検出データ記憶部に格納された検出データをその送信部に送信させ、その電源スイッチがオフ状態であるときにそのフラグがその第１の状態であれば警報を可視または可聴表示し、その受信部においてフラグ設定要求が受信されたときそのフラグを、読取り済み状態を表す第２の状態に設定し、その電源スイッチがオフ状態であるときにそのフラグが第２の状態であればその情報装置における電力供給を消勢する第２の制御部と、を具えている。
【００１１】
本発明の別の特徴によれば、情報装置の情報にアクセスするための情報アクセス・システムは、読取り書込み装置と、その読取り書込み装置との間で無線通信が可能な上述の情報装置と、を含む。その読取り書込み装置は、データ要求信号を送信しフラグ設定要求を送信する送信部と、応答を受信し検出データを受信する受信部とを具えている。
【００１２】
本発明は、また、上述の情報装置を実現するためのプログラムおよび方法に関する。
【発明の効果】
【００１３】
本発明によれば、ＲＦ ＩＤタグの電源スイッチがオフ状態にされても、ＲＦ ＩＤタグに読み出されていない検出データがある場合には、電源を制御してその検出データが消去されず、また、ＲＦ ＩＤタグが電源オフ状態にされる前にＲＦ ＩＤタグにおける蓄積された検出データをリーダ／ライタ装置へと送信させることができる。
【発明を実施するための最良の形態】
【００１４】
本発明の非限定的な実施形態を、図面を参照して説明する。図面において、同様の構成要素には同じ参照番号が付されている。
【００１５】
図１は、アクティブ型非接触情報記憶装置としてのアクティブ型ＲＦ ＩＤタグ２０２とリーダ／ライタ装置３０２の構成を示している。アクティブ型非接触情報記憶装置として、アクティブ型ＲＦ ＩＤタグ２０２の代わりに、アクティブ型ＲＦ ＩＤタグ２０２と同様の構成を有する非接触ＩＣカードを用いてもよい。この場合、ＲＦ ＩＤタグ２０２とリーダ／ライタ装置３０２の間で送信データは暗号化され、受信データは暗号解読されて認証に用いられる。代替構成として、認証を行わなくてもよく、また、送信データを暗号化しなくてもよい。
【００１６】
アクティブ型ＲＦ ＩＤタグ２０２は、制御部２１０、メモリ２１４、データ生成部２２２、送信部（ＴＸ）２３０、受信部（ＲＸ）２５０、データ復号部２４２、キャリア判定部２４６、ウェイクアップ部２７０、送信アンテナ（ＡＮＴ）２８２、受信アンテナ（ＡＮＴ）２８４、バッテリ２９０および電源制御部２９２を具えている。
【００１７】
ウェイクアップ部２７０は、時間を測定し時刻を生成するタイマ２７４を含み、ＲＦ ＩＤタグ２０２の電源投入後は常に活動状態になっていて、タイマ２７４の時刻およびメモリ２１４から読み出した予め設定された制御スケジュールおよび時間制御シーケンスに従って例えば２秒といった所定のキャリア・センス周期Ｔｃｓでウェイクアップ信号（Wakeup）を制御部２１０に供給する。
【００１８】
データ生成部２２２は、メモリ２１４に格納されている暗号鍵Ｋｅを用いて所定の暗号方式に従って送信データを暗号化する暗号化部２２４を含んでいる。データ復号部２４２は、受信データを所定の暗号方式に従って暗号鍵／復号鍵Ｋｅを用いて解読する解読部２４４を含んでいる。ここでは、所定の暗号方式を共通鍵暗号方式として説明するが、公開鍵暗号方式であってもよい。
【００１９】
データ生成部２２２は、メモリ２１４に格納されているタグＩＤ（ＩＤ＿ｔａｇ）等を含む所定のフォーマットのデータを生成し、所定の暗号化方式でそれを暗号化し、所定の符号化方式に従ってその暗号データを符号化して符号化データを生成する。そのデータはアクセス記録を含んでいてもよい。送信部（ＴＸ）２３０は、データ生成部２２２から受け取ったベースバンドの符号化データでキャリアを変調して、周波数ｆ２または相異なる周波数ｆ２ｉ（ｎ＝１、２、．．．ｎ）のＲＦ信号を送信する。
【００２０】
受信部（ＲＸ）２５０は、周波数ｆ１のＲＦ信号を受信して復調してベースバンド符号化データを生成し、受信ＲＦ信号のキャリア強度を表すデータを生成する。データ復号部２４２は、受信した符号化データを所定の符号化方式に従って復号して、その復号データを所定の暗号化方式に従って暗号解読し、その解読データをデータ生成部２２２および制御部２１０に供給する。
【００２１】
キャリア判定部２４６は、受信部２５０から受信ＲＦ信号キャリアの電力の強度を表すデータを受け取って、受信キャリアの有無を判定して、その判定結果を制御部２１０に供給する。
【００２２】
送信アンテナ（ＡＮＴ）２８２は、送信部２３０に結合される。受信アンテナ（ＡＮＴ）２８４は、受信部２５０に結合される。代替構成として、アンテナ２８２と２８４は１つのアンテナであってもよい。
【００２３】
周波数ｆ１およびｆ２は、例えばそれぞれ３００ＭＨｚおよび３０１ＭＨｚである。周波数ｆ２ｉは、例えば３０１ＭＨｚ、３０２ＭＨｚ、．．．．３０５ＭＨｚである。送信部（ＴＸ）２３０の送信出力は、例えば１ｍＷである。
【００２４】
制御部２１０は、乱数発生部２１１と、周波数切り換え部２１２と、タイミング調整部２１３とを含んでいる。乱数発生部２１１は、送信タイムスロットをランダムに選択するための乱数を発生する。周波数切り換え部２１２は、送信周波数ｆ２ｉを切り換える。タイミング調整部２１３は、送信タイミングを調整する。
【００２５】
バッテリ２９０は、各構成要素２１０〜２７０等に電力を供給する。電源制御部２９２は、バッテリ２９０の出力電力の各構成要素２１０〜２７０等への供給を制御する。
【００２６】
制御部２１０は、電源投入後は常に活動状態になっていて、メモリ２１４と、データ生成部２２２と、送信部２３０と、受信部２５０と、データ復号部２４２と、キャリア判定部２４６と、ウェイクアップ部２７０とに、それぞれメモリ制御信号ＣＴＲＬ＿Ｍ、データ生成制御信号ＣＴＲＬ＿ＥＮＣ、送信制御信号ＣＴＲＬ＿ＴＸ、受信制御信号ＣＴＲＬ＿ＲＸ、データ復号制御信号ＣＴＲＬ＿ＤＥＣ、キャリア判定制御信号ＣＴＲＬ＿ＣＳおよびウェイクアップ部制御信号を供給する。制御部２１０は、プログラムに従って動作するマイクロプロセッサまたはマイクロコンピュータであってもよい。
【００２７】
メモリ２１４は、ＲＦ ＩＤタグ２０２のタグＩＤ（ＩＤ＿ｔａｇ）、認証用のシステムＩＤ（ＩＤ＿ｓｙｓｔｅｍ）および暗号鍵／復号鍵Ｋｅ、認証用の現在の時刻Ｔ、リーダ／ライタ装置３０２によるアクセスの記録、ウェイクアップ部２７０の制御スケジュールおよび時間制御シーケンス、バッテリ２９０の現在の電力残量、キャリア・センスの周期Ｔｃｓ、受信処理持続時間、送信周期Ｔｔ、送信持続時間、等の情報を格納している。メモリ２１４は、現在の時刻Ｔ、システムＩＤおよび暗号鍵／復号鍵Ｋｅを、データ生成部２２２およびデータ復号部２４２に供給する。
【００２８】
これらの情報は、リーダ／ライタ装置３０２によって予めＲＦ ＩＤタグ２０２に送信され、制御部２１０によってメモリ２１４に予め書き込まれる。メモリ２１４におけるこれらの情報は、制御部２１０の制御の下で格納され、更新される。
【００２９】
制御部２１０は、メモリ２１４中の時刻Ｔに基づいてタイマ２７４の時刻を修正し、タイマ２７４によって生成された現在の時刻Ｔをメモリ２１４に書き込み更新する。
【００３０】
システムＩＤは、リーダ／ライタ装置３０２とＲＦ ＩＤタグ２０２等の複数のＲＦ ＩＤタグで構成される同じグループによって共有される共通のＩＤを表している。システムＩＤは、リーダ／ライタ装置３０２のＩＤであってもよい。
【００３１】
リーダ／ライタ装置３０２は、制御部３１０、メモリ３１４、データ生成部３２２、送信部（ＴＸ）３３０、受信部（ＲＸ）３５０、データ復号部３４２、時間を測定し時刻を生成するタイマ３７４、送信アンテナ（ＡＮＴ）３８２、および受信アンテナ（ＡＮＴ）３８４を具えている。
【００３２】
制御部３１０は、ホスト・コンピュータ（図示せず）との間でデータを送受信する。
【００３３】
データ生成部３２２は、メモリ３１４に格納されている所定の暗号方式に従って暗号鍵Ｋｅを用いて送信データを暗号化する暗号化部３２４を含んでいる。データ復号部３４２は、所定の暗号方式に従って暗号鍵／復号鍵Ｋｅを用いて受信データを解読する解読部３４４を含んでいる。
【００３４】
データ生成部３２２は、制御部３１０から受け取ったコマンド（ＣＭＤ）等を含む所定のフォーマットのデータを生成してそのデータを暗号化しその暗号データを符号化して符号化データを生成する。
【００３５】
送信部（ＴＸ）３３０は、データ生成部３２２から受け取ったベースバンド符号化データでキャリアを変調して周波数ｆ１のＲＦ信号を送信する。送信部（ＴＸ）３３０の送信出力は例えば１００ｍＷである。
【００３６】
受信部（ＲＸ）３５０は、周波数ｆ２またはｆ２１〜ｆ２ｎのＲＦ信号を受信する。データ復号部３４２は、受信部３５０から受け取った受信データを復号しその復号データを暗号解読してベースバンド解読データを生成し、その解読データを制御部３１０に供給する。
【００３７】
送信アンテナ（ＡＮＴ）３８２は、送信部３３０に結合される。受信アンテナ（ＡＮＴ）３８４は、受信部３５０に結合される。代替構成として、アンテナ３８２と３８４は１つのアンテナであってもよい。
【００３８】
制御部３１０は、ホスト・コンピュータからのタグＩＤまたはタグ情報の要求コマンド（以下、単にタグ情報要求コマンドという）等のコマンドを受け取った場合、そのようなコマンドを含むデータをデータ生成部３２２に供給する。そのデータは、ＲＦ ＩＤタグ２０２の使用すべき送信周波数ｆ２またはｆ２ｉ、基準の現在の時刻Ｔ、新しいまたは更新された制御スケジュールおよび時間制御シーケンス等を含んでいてもよい。そのようなコマンドには、現在の時刻Ｔとともにタイマ２７４の時刻を修正または更新するよう命令するコマンドが含まれていてもよい。そのようなコマンドには、新しいまたは更新された制御スケジュールまたは時間制御シーケンスとともにメモリ２１４に格納されているスケジュールまたはシーケンスを修正または更新するよう命令するコマンドが含まれていてもよい。
【００３９】
図２Ａは、リーダ／ライタ装置３０２のタグ情報要求コマンド（ＣＭＤ）を搬送するＲＦ信号の送信処理４２のタイムチャートを示している。図２Ｂは、リーダ／ライタ装置３０２の受信待ち状態４６および受信ＲＦ信号の受信処理４８のタイムチャートを示している。図２Ｃは、アクティブ型ＲＦ ＩＤタグ２０２のキャリア・センス５０、５２および５３、受信ＲＦ信号の受信処理５４および５５、および認証成功の場合における応答を搬送するＲＦ信号の送信処理５６のタイムチャートを示している。
【００４０】
図２Ａを参照すると、リーダ／ライタ装置３０２のデータ生成部３２２は、制御部３１０から受け取ったＲＦ ＩＤタグに対するタグ情報要求コマンドを含むデータを生成しそれを暗号化し、その暗号データを符号化して、符号化された暗号データを生成する。送信部３３０は、送信処理４２の連続する各タイムスロットにおいて、そのコマンドを搬送するＲＦ信号を充分短い間隔で周期的に送信する。
【００４１】
図２Ｃを参照すると、アクティブ型ＲＦ ＩＤタグ２０２において、受信部２５０およびキャリア判定部２４６は、ウェイクアップ部２７４のウェイクアップ信号に従って例えば２秒といった一定の周期Ｔｃｓで例えば約１ｍｓ〜１０ｍｓの所定の持続時間で発生するキャリア・センス５０および５２の時間期間に制御部２１０によってイネーブル（活動化、enable）される。それによって、受信部２５０は受信待ち状態になり、キャリア判定部２４６は受信部２５０からの受信ＲＦ信号キャリア電力の強度を表すデータに従って受信キャリアの有無の判定を行う。ＲＦ ＩＤタグ２０２がリーダ／ライタ装置３０２に接近していない場合は、キャリア判定部２４６はキャリアを検知せず（ＮＤ）、キャリアが存在しないと判定する。
【００４２】
キャリア・センス５０相互間の期間５１において、ＲＦ ＩＤタグ２０２は休止モードに入って、制御部２１０およびウェイクアップ部２７０だけがイネーブルまたはパワー・オン（付勢）されており、その他の構成要素２１４〜２５０はディセーブル（非活動化、disable）またはパワー・ダウン（消勢）されている。休止期間５１の時間長は、キャリア・センス期間５０の終了時点と次のキャリア・センス期間５０の開始時点との間の時間長より短くてもよい。
【００４３】
ＲＦ ＩＤタグ２０２がリーダ／ライタ装置３０２に接近してＲＦ ＩＤタグ２０２の受信部２５０がＲＦ信号を受信した場合、キャリア判定部２４６は、キャリア・センス５２の時間期間にＲＦ信号のキャリアを検知し（ＤＴ）、キャリアが存在すると判定する。
【００４４】
そのキャリアが存在するという判定に応答して、受信部２５０およびデータ復号部２４２は直後の受信処理５４の時間期間において所定の持続時間（例えば１００ｍｓ）の間イネーブルされる。
【００４５】
受信部２５０はそのＲＦ信号を受信し復調してコマンドを含む符号化された暗号データを生成し、データ復号部２４２はそのデータを復号し暗号データを解読してコマンドを取り出して制御部２１０に供給する。
【００４６】
制御部２１０は、そのコマンドに含まれている時刻ＴおよびシステムＩＤを用いてリーダ／ライタ装置３０２を認証する。認証が成功した場合は、そのコマンドに応答して、制御部２１０は、所定期間内のランダムに選択された送信処理５６の時間期間において所定の持続時間（例えば１００ｍｓ）の間、データ生成部２２２および送信部２３０をイネーブルする。データ生成部２２２は、メモリ２１４から取り出したタグＩＤ（ＩＤ＿ｔａｇ）、時刻Ｔ、システムＩＤ（ＩＤ＿ｓｙｓｔｅｍ）等の所要の情報を含むデータを暗号化し、その暗号データを符号化する。その他の所要の情報には、例えば、パッケージ内の商品の内容、個数および状態、発送者、移動、経由地および宛先、等に関する情報が含まれていてもよい。送信部２３０はその暗号化されたタグＩＤを含む応答データでキャリアを変調してＲＦ信号を送信する。
【００４７】
一方、認証が失敗した場合は、データを生成および送信することなく処理を終了する。
【００４８】
図２Ｂを参照すると、リーダ／ライタ装置３０２の受信部３５０は、常に受信待ち状態４６にあり、ＲＦ ＩＤタグ２０２が接近してＲＦ信号を受信した場合に、受信処理４８の時間期間において受信ＲＦ信号を復調して符号化された暗号データを生成する。
【００４９】
データ復号部３４２は符号化された暗号データを復号し、その復号された暗号データを解読してタグＩＤを含む応答データを再生し、その再生された応答を制御部３１０に供給する。
【００５０】
その受信再生された応答に応答して、制御部３１０は、その応答に含まれている時刻ＴおよびシステムＩＤを用いてＲＦ ＩＤタグ２０２を認証し、そのタグＩＤをホスト・コンピュータに供給する。
【００５１】
ホスト・コンピュータは、タグＩＤを処理して、商品の流通または品質もしくは状態または人を監視し管理するために用いられる。
【００５２】
通常、ＲＦ ＩＤタグ２０２がリーダ／ライタ装置３０２に接近していない状態にある時間は、接近した状態にある時間よりもはるかに長い。よって、アクティブ型ＲＦ ＩＤタグ２０２は、上記構成により、大部分の時間期間が休止モードになる。
【００５３】
従って、アクティブ型ＲＦ ＩＤタグ２０２の消費電力は大幅に低減され、バッテリ２９０の稼動時間は大幅に長くなる。
【００５４】
また、通常、リーダ／ライタ装置３０２およびＲＦ ＩＤタグ２０２が送信データを暗号化し、時刻ＴおよびシステムＩＤを用いて相互認証を行うことによって、リーダ／ライタ装置３０２およびＲＦ ＩＤタグ２０２によって送信されるデータが、第三者に傍受されても、そのデータを不正に使用される危険性がなくなる。従って、リーダ／ライタ装置３０２およびＲＦ ＩＤタグ２０２の安全性が高くなる。
【００５５】
図３は、リーダ／ライタ装置３０２によって実行される処理のフローチャートを示している。図４Ａおよび４Ｂは、アクティブ型ＲＦ ＩＤタグ２０２によって実行される処理のフローチャートを示している。
【００５６】
図３を参照すると、ステップ４０２において、リーダ／ライタ装置３０２の制御部３１０は、ホスト・コンピュータから受け取ったタグ情報要求があるかどうかを判定する。タグＩＤの要求があるまでステップ４０２は繰り返される。タグ情報要求があると判定された場合、手順は送信処理のステップ４１４および受信処理のステップ４２２に進む。
【００５７】
ステップ４１４において、制御部３１０はタグ情報要求コマンドおよび関連する情報をデータ生成部３２２に供給する。データ生成部３２２は、制御部３１０から受け取ったタグ情報要求コマンド、およびメモリ３１４から取り出した現在の時刻Ｔ、システムＩＤ（ＩＤ＿ｓｙｓｔｅｍ）およびリーダ／ライタ装置３０２のＩＤを含むデータを、例えばＤＥＳ（Data Description Standard）、トリプルＤＥＳまたはＡＥＳ（Advanced Encryption Standard）等の所定の暗号方式に従って、メモリ３１４から取り出した暗号鍵Ｋｅを用いて暗号化し、その暗号データを、例えばＮＲＺ（Non Return to Zero）符号化法またはマンチェスタ符号化法等の所定の符号化方式に従って符号化し、送信部３３０は、図２Ａの送信処理４２の時間期間にその符号化データでキャリアを変調して周波数ｆ１のＲＦ信号を送信する。制御部３１０は、タグ情報要求コマンド中にそのコマンドに対する応答の送信周波数ｆ２または可変送信周波数ｆ２ｉを指定するデータ、その可変送信周波数ｆ２ｉを使用すべき時刻またはタイムスロットを表すデータ、現在の時刻Ｔを表すデータ、制御スケジュールおよび時間制御シーケンスを含ませてもよい。
【００５８】
リーダ／ライタ装置３０２は、複数の送信周期ｔＲＷ−ＣＹにおける複数コマンド毎に（例えば、少なくとも１つのキャリア・センス周期分の数の送信周期ｔＲＷ−ＣＹにおける複数コマンド毎に）、その周波数ｆ２ｉを変更するようにしてもよい。
【００５９】
それによって、複数のＲＦ ＩＤタグが同時に存在する場合でも、ＲＦ ＩＤタグからの応答送信が衝突する確率が減り、リーダ／ライタ装置３０２で同時に識別できるＲＦ ＩＤタグの数を増大させることができる。
【００６０】
ステップ４１８において、制御部２１０はデータ送信を終了すべきかどうかを判定する。終了すると判定された場合は、手順はこのルーチンを出る。データ送信を継続すると判定された場合は、手順はステップ４１４に戻る。図２Ａでは、データ送信は繰り返し継続される。
【００６１】
図４Ａを参照すると、ステップ５０２において、ＲＦ ＩＤタグ２０２が起動された場合に、制御部２１０およびウェイクアップ部２７０がイネーブルされる。ＲＦ ＩＤタグ２０２がいったん起動されると、制御部２１０およびウェイクアップ部２７０は常にイネーブルされて活動状態にある。ウェイクアップ部２７０は、タイマ２７４および時間制御シーケンスに従って、所定の周期Ｔｃｓで受信ＲＦ信号のキャリア・センスを行うタイミングを表すウェイクアップ信号を制御部２１０に供給する。ステップ５３４において、制御部２１０は、ウェイクアップ部２７０から受け取ったウェイクアップ信号がオン状態（ＯＮ）を示しているかどうかを判定する。制御部２１０は、ウェイクアップ信号がオン状態になるまでステップ５３４を繰り返す。
【００６２】
ステップ５３４においてウェイクアップ信号がオン状態（ＯＮ）を示していると判定された場合、ステップ６５６において、制御部２１０は、例えば約１ｍｓ〜１０ｍｓのような短い持続時間の期間だけ受信部２５０およびキャリア判定部２４６をイネーブルする。受信部２５０はＲＦ信号の受信待ち状態となり、キャリア判定部２４６は受信部２５０から受け取った受信キャリア電力を表すデータに基づいて受信ＲＦ信号のキャリアの存在を判定して、その判定結果を制御部２１０に供給する。ステップ６５８において、制御部２１０は、その判定結果に従ってキャリアが検知されたかどうかを判定する。キャリアが検知されなかったと判定された場合は、ステップ６５９において制御部２１０は受信部２５０およびキャリア判定部２４６をディセーブル（非可動化）する。その後、手順はステップ７００に進む。
【００６３】
ステップ６５８においてキャリアが検知されたと判定された場合は、ステップ６６０において、制御部２１０は、キャリア判定部２４６をディセーブルし、さらに例えば１００ｍｓ〜２００ｍｓといった所定の持続時間において受信部２５０をイネーブルしたまま、リーダ／ライタ装置３０２からコマンドを搬送する周波数ｆ１のＲＦ信号を受信して（図２Ｃ、受信５４）、受信ＲＦ信号を復調する。ステップ６６２において、制御部２１０は、受信部２５０によるＲＦ信号の受信が完了したかどうかを判定する。ステップ６６２はＲＦ信号の受信が完了するまで繰り返される。
【００６４】
ステップ６６２においてＲＦ信号の受信が完了したと判定された場合は、ステップ６６４において、制御部２１０はデータ復号部２４２をイネーブルする。データ復号部２４２は制御部２１０の制御の下で受信部２５０から受信データを受け取ってそれを所定の符号化方式に従って復号する。ステップ６６５において、制御部２１０は受信部２５０をディセーブルする。
【００６５】
図４Ｂを参照すると、ステップ６６６において、制御部２１０の制御の下で、データ復号部２４２は、メモリ２１４から取り出した暗号鍵／復号鍵Ｋｅを用いて復号データを所定の暗号方式に従って解読し、解読されたコマンド、タグＩＤ（ＩＤ＿ｔａｇ）、時刻Ｔ、システムＩＤ（ＩＤ＿ｓｙｓｔｅｍ）を含むデータを制御部２１０に供給する。そのデータは、制御スケジュールおよび時間制御シーケンスを含んでいてもよい。制御部２１０は、そのデータを受け取った後、暗号解読された時刻ＴおよびシステムＩＤとメモリ２１４に格納されている時刻ＴおよびシステムＩＤとを比較することによって、両者が一致するかどうかを判定し、それによってリーダ／ライタ装置３０２の認証を行う。
【００６６】
ステップ６６８において、制御部２１０は認証が成功したかどうかを判定する。認証が失敗したと判定された場合は、ステップ６９０において、制御部２１０はデータ復号部２４２をディセーブルする。その後、手順はステップ７００に進む。
【００６７】
ステップ６６８において認証が成功したと判定された場合は、ステップ６７２において、制御部２１０は、データ復号部２４２からタグ情報要求コマンドを含む復号され暗号解読されたデータを受け取り、その解読データに含まれている解読された受信コマンドを処理し、リーダ／ライタ装置３０２によるアクセス記録をメモリ２１４に格納する。
【００６８】
受信データ中に時刻修正コマンドおよび現在の時刻Ｔが含まれていた場合は、制御部２１０は、ウェイクアップ部２７０のタイマ２７４の時刻をその時刻Ｔに修正または更新する。
【００６９】
ステップ６８６において、制御部２１０は、そのタグ情報要求コマンドに従って、所定の期間内の所定数のタイムスロットの中からランダムに選択された１つのタイムスロットにおいてデータ生成部２２２および送信部２３０をイネーブルする。その選択されたタイムスロットが図２Ｃの送信処理５６の時間期間である。
【００７０】
データ生成部２２２は、メモリ２１４から読み出したＲＦ ＩＤタグ２０２のタグＩＤ（ＩＤ＿ｔａｇ）、時刻Ｔ、システムＩＤ（ＩＤ＿ｓｙｓｔｅｍ）およびリーダ／ライタ装置３０２のＩＤを含むデータを、所定の暗号方式に従って暗号鍵Ｋｅを用いて暗号化し、その暗号データを所定の符号化方式に従って符号化して送信部２３０に供給する。
【００７１】
送信部２３０は、その符号化暗号データでキャリアを変調して、周波数ｆ２またはｆ２ｉのＲＦ信号を、アンテナ２８４を介して送信する（図２Ｃ、送信５６）。周波数ｆ２ｉの切り換えは、制御部２１０の周波数切り換え部２１２によって行われる。タイミング調整部２１３は、複数のタイムスロットの周期を所定周期になるように調整する。
【００７２】
ステップ６９０において、制御部２１０は、データ生成部２２２および送信部２３０をディセーブルする。ステップ７００において、制御部２１０は、ＲＦ ＩＤタグ２０２を休止モードにする。休止モードにおいて、基本的に制御部２１０およびウェイクアップ部２７０だけがイネーブルされた状態を維持し、その他の構成要素２１４〜２５０はディセーブルされた状態になる。
【００７３】
再び図３を参照すると、ステップ４２２において、制御部３１０は受信部３５０をイネーブルして受信待ち状態にする。受信部３５０は周波数ｆ２のＲＦ信号の受信を待って（受信待ち４６）、ＲＦ信号を受信する（受信処理４８）。ステップ４２４において、制御部３１０は受信部３５０がＲＦ信号の受信を完了したかどうかを判定する。受信が完了するまでステップ４２２〜４２４は繰り返される。受信が完了したと判定された場合は、手順はステップ４２８に進む。
【００７４】
ステップ４２８において、受信部３５０は受信データをデータ復号部３４２に供給する。データ復号部３４２は受信データを所定の符号化方式に従って復号し、その復号データを所定の暗号方式に従って暗号解読して、そのデータを受信したという判定およびその解読データを制御部３１０に供給する。制御部３１０は、暗号解読された時刻ＴおよびシステムＩＤとメモリ３１４に格納されている時刻ＴおよびシステムＩＤとを比較することによって、一致するかどうかを判定し、それによってＲＦ ＩＤタグ２０２の認証を行う。ＲＦ ＩＤタグ２０２の制御部２１０およびリーダ／ライタ装置３０２の制御部３１０において、受信した時刻Ｔと格納されていた時刻Ｔとの間に所定の範囲内の誤差（例えば±０．５秒）があった場合にも、両者は一致すると判定してもよい。
【００７５】
ステップ４３０において、制御部３１０は認証が成功したかどうかを判定する。認証が失敗したと判定された場合は、手順はステップ４２２に戻る。認証が成功したと判定された場合は、手順はステップ４３２に進む。
【００７６】
ステップ４３２において、制御部３１０はその復号データをメモリ３１４に格納しホスト・コンピュータに送出する。ステップ４３６において制御部３１０はデータ受信待ちを終了するかどうかを判定する。終了すると判定された場合は、手順はこのルーチンを出る。データ受信待ちを継続すると判定された場合は、手順はステップ４２２に戻る。図２Ｂでは、データ受信待ちは繰り返し継続される。
【００７７】
このように、リーダ／ライタ装置３０２は充分短い間隔で周期的にＲＦ信号を送信し常にＲＦ信号受信待ち状態にあるので、ＲＦＩＤタグ２０２のキャリア・センス時間を大幅に減らすことができる。例えば入出管理などにおけるように１日に数回しか送受信を行わず、動作時間のほとんどがキャリア・センスである場合は、ＲＦＩＤタグ２０２全体の消費電力は、全体の消費電力を大幅に削減できる。
【００７８】
メモリ２１４に格納される制御スケジュールとして、休日および平日の夜間（例えば、６：００ｐｍ〜６：００ａｍ）の所定の時刻と所定の時刻の間の時間期間を指定し、平日の昼間（例えば、６：００ａｍ〜６：００ｐｍ）の所定の時刻と所定の時刻の間の時間期間を指定してもよい。この場合、ウェイクアップ部２７０は、その休日および夜間においてウェイクアップ信号を発生せず、従ってＲＦＩＤタグ２０２は休止モードになってキャリア・センスを全く行わず、一方、その平日の昼間において所定の周期（例えば１秒）で、キャリア・センスを行う。
【００７９】
ウェイクアップ部２７０は、制御部２１０の制御の下で、メモリ２１４に格納されたバッテリ２９０の電力の残量Ｐに従ってウェイクアップ信号を発生させてもよい。この場合、バッテリ電力残量Ｐが充分である場合は、比較的短い周期で（例えば１秒）キャリア・センスを行い、電力残量Ｐが閾値Ｐｔｈより低くなった場合は、比較的長い周期で（例えば２秒）キャリア・センスを行うようにしてもよい。
【００８０】
上述のようにリーダ／ライタ装置によるアクセスの記録をメモリ２１４に格納するようにしたことによって、リーダ／ライタ装置３０２以外の別のリーダ／ライタ装置によって不正にアクセスされた場合にも、ログが記録されるので、リーダ／ライタ装置３０２によってそのアクセス記録を読み取り、ホスト・コンピュータによって解析することによって不正なアクセスを発見することができる。
【００８１】
アクティブ型ＲＦ ＩＤタグ２０２とリーダ／ライタ装置３０２の構成および動作は、特開２００６−３３８４８９号公報（Ａ）（ＵＳ２００６／２７６２０６−Ａ１に対応）に開示されており、ここで、この文献全体を参照して組み込む。
【００８２】
周囲の環境に関する物理的値または状態を検出するセンサを有しその検出値を記録するアクティブ型ＲＦＩＤタグを、リーダ／ライタ装置によって読み取ることによって、タグＩＤと共に物理的量または状態の検出値データを収集することができる。今回と前回の測定値の間の差が、閾値を超えない場合は、そのようなデータを記録しないように構成することによって、データ記録に要する電力を節減し、ＲＦ ＩＤタグのバッテリの稼働時間を長くし、所要のメモリ容量を削減することができる。
【００８３】
図１〜４Ｂのアクティブ型ＲＦ ＩＤタグ２０２に関連してセンサを設けて周期的にその検出値を記録する場合、ウェイクアップ部２７０が所定の周期でウェイクアップ信号を発生し、それに応じてセンサが一時的にイネーブルされて、検出値のデータを周期的にメモリ２１４の検出データ格納領域に格納するよう構成することが想定される。
【００８４】
図５は、物理的量を検出して検出値データを蓄積するよう変形されたアクティブ型非接触情報記憶装置としてのアクティブ型ＲＦ ＩＤタグ２０３の構成を示している。ＲＦ ＩＤタグ２０３に対して図１のリーダ／ライタ装置３０２を用いることができる。
【００８５】
ＲＦ ＩＤタグ２０３は、図１のＲＦ ＩＤタグ２０２の構成要素２１０〜２１４、２２２〜２７０、２９０および２９２に加えて、メモリ制御部２７６、センサ２８６、およびセンサ２８６における検出値を捕捉してそのデータを保持するセンサ・データ読取部２８８を具えている。ＲＦ ＩＤタグ２０３は、ＲＦ ＩＤタグ２０３をターンオン／ターンオフし即ちＲＦ ＩＤタグ２０３の電源をオン／オフするための手動電源スイッチ（ＳＷ）２９４を有する。制御部２１０は、関連する構成要素２２２〜２８８等にイネーブル／ディセーブル制御信号を供給するイネーブル／ディセーブル制御信号発生部２９９と、電源スイッチ２９４のオン／オフ状態を判定する判定部２１５を含んでいる。ＲＦ ＩＤタグ２０３のその他の構成は図１のＲＦ ＩＤタグ２０２と同様である。バッテリ２９０は、構成要素２１０〜２７６、２８６および２８８等に電力を供給する。
【００８６】
構成要素２２２〜２４６、２７６および２８８は別個の回路としてハードウェアの形態で実装されていても、制御部２１０の一部として実装されていてもよい。代替構成として、構成要素２２２〜２４６、２７６および２８８の少なくとも一部はソフトウェアの形態で、メモリ２１４に格納されたプログラムに従って動作する制御部２１０の機能として実装されていてもよい。
【００８７】
制御部２１０（イネーブル／ディセーブル制御信号発生部２９９）は、ウェイクアップ部２７０からのウェイクアップ信号に応答して、メモリ２１４、メモリ制御部２７６、センサ２８６およびデータ読取部２８８をイネーブルしまたはディセーブルするための制御信号ＥＮ＿ＭＥＭ＿ＣＴＲＬ、ＥＮ＿ＳＮＳＤＴ＿ＣＴＲＬ、ＥＮ＿ＳＮＳおよびＥＮ＿ＳＮＳ＿ＣＴＲＬを供給する。
【００８８】
制御部２１０は、リーダ／ライタ装置３０２からのタグ情報要求コマンドまたは検出データ読取り要求コマンドＣＭＤに応答して、メモリ制御部２７６に、メモリ２１４の検出データ格納領域２１８から蓄積された検出値の格納データＤＡＴＡを読み出させ、それによって応答データを生成する。ＲＦ ＩＤタグ２０３のその他の構成および動作は図１のＲＦ ＩＤタグ２０２と同様である。
【００８９】
ＲＦ ＩＤタグ２０３において、ウェイクアップ部２７０からのウェイクアップ信号に従って、制御部２１０は、センサ２８６およびデータ読取部２８８、または受信部２５０およびキャリア判定部２４６をイネーブルしまたはディセーブルする。
【００９０】
メモリ制御部２７６は、ウェイクアップ部２７０からのウェイクアップ信号に従って、センサ２８６の検出値ＤＡＴＡをデータ読取部２８８から取得して現在の日付および時刻（日時）とともにメモリ２１４に格納する。制御部２１０は、周期的にキャリア・センス５０、５３を行って、リーダ／ライタ装置３０２によるタグ情報要求コマンドに応答して、そのような日時および検出値のデータをタグＩＤとともに送信し返す。
【００９１】
ＲＦ ＩＤタグ２０３において、制御部２１０は、センサ２８６に環境におけるまたは被検出対象の物理的量（例えば周囲温度）または状態の値を検出させてデータ読取部２８８に現在のデータを読み取らせ、その今回の検出値をメモリ２１４の検出データ格納領域２１８に書き込ませる。次いで、ＲＦ ＩＤタグ２０３は、キャリア・センスを行う。メモリ制御部２７６は、メモリ２１４の検出データ格納領域２１８から、格納された検出値データを読み取って制御部２１０に供給する。
【００９２】
ＲＦ ＩＤタグ２０６は、一例として、保冷コンテナの輸送経路および日付および時刻を管理し、コンテナ内の温度の変化を追跡するのに用いられる。この場合、センサ２８６は温度センサである。リーダ／ライタ装置３０２は、コンテナ内に配置されて、ＲＦ ＩＤタグ２０６からの検出値データを蓄積してもよい。
【００９３】
図６Ａ〜６Ｃは、図５のアクティブ型ＲＦ ＩＤタグ２０３によって実行される処理のフローチャートを示している。但し、図を簡単にするために図４Ａおよび４Ｂにおける認証のための処理は示されていない。
【００９４】
図６Ａを参照すると、ステップ５０２〜５３４は図４Ａのものと同様であり、再び説明することはしない。
【００９５】
ステップ５３４の後のステップ６２２において、制御部２１０はセンサ２８６の検出タイミングかどうかを判定する。検出タイミングであると判定された場合は、手順はステップ６２８に進む。検出タイミングでないと判定された場合は、手順は図６Ｂのステップ６５２に進む。
【００９６】
ステップ６２８において、制御部２１０は、センサ２８６およびデータ読取部２８８をイネーブルして、センサ２８６に温度を検出させてデータ読取部２８８にその検出値を読み取らせる。ステップ６３２において、制御部２１０は、センサ２８６をディセーブルする。
【００９７】
ステップ６４０において、制御部２１０はメモリ制御部２７６およびメモリ２１４をイネーブルする。ステップ６４１において、制御部２１０はメモリ制御部２７６を一時的にイネーブルし、メモリ制御部２７６はデータ読取部２８８からの現在の検出温度値をメモリ２１４の検出データ格納領域２１８に格納する。ステップ６４４において、制御部２１０はデータ読取部２８８、メモリ制御部２７６およびメモリ２１４をディセーブルする。
【００９８】
図６Ｂを参照すると、ステップ６５２において、制御部２１０は現在がキャリア・センスのタイミングかどうかを判定する。キャリア・センスのタイミングでないと判定された場合は、手順はステップ５３４に戻る。キャリア・センスのタイミングであると判定された場合は、手順はステップ６５６に進む。ステップ６５６〜６７２は、図４Ａおよび図４Ｂのものと同様であり、再び説明することはしない。
【００９９】
図６Ｃを参照すると、ステップ６７４において、制御部２１０は、受信コマンドが、パラメータ設定要求コマンドか、または検出値データ読取り要求コマンドかを判定する。それがパラメータ設定要求コマンドであると判定された場合は、手順はステップ６８６に進む。
【０１００】
ステップ６８６は図４Ｂのものと同様であり、ステップ６８６において制御部２１０は応答を送信する。ステップ６８８において、制御部２１０は、送信が完了したかどうかを判定する。送信が完了するまでステップ６８８は繰り返される。送信が完了したと判定された場合、手順はステップ６９０に進む。ステップ６９０は図４Ｂのものと同様である。
【０１０１】
ステップ６９２において、制御部２１０は受信コマンドに従ってＲＦ ＩＤタグ２０３におけるパラメータを設定する。そのパラメータは、例えば、キャリア・センス周期、物理的な量または状態の検出の周期、時刻であってもよい。その後、手順はステップ７００に進む。
【０１０２】
ステップ６７４において、受信コマンドが、検出値データ読取り要求コマンドであると判定された場合は、ステップ６８０において、コマンドに応答して、制御部２１０はメモリ制御部２７６およびメモリ２１４をイネーブルする。ステップ６８２において、メモリ制御部２７６は、メモリ２１４の検出データ格納領域２１８から、記録された例えば検出温度値のような格納された検出データを読み取って制御部２１０に供給する（期間６５）。ステップ６８４において、制御部２１０はメモリ制御部２７６およびメモリ２１４をディセーブルする。
【０１０３】
ステップ６８６は図４Ｂのものと同様である。制御部２１０は、暗号化され符号化された格納された検出データおよびタグＩＤを搬送するＲＦ信号をリーダ／ライタ装置３０２に送信する。ステップ６８２および６８６における格納された検出値データの読み取りおよび送信によって、メモリ２１４の検出データ格納領域２１８に格納されていた新しい検出値データがリーダ／ライタ装置３０２に送信される。
【０１０４】
ステップ６８８において、制御部２１０は、送信が完了したかどうかを判定する。送信が完了するまでステップ６８８は繰り返される。送信が完了したと判定された場合、手順はステップ６９０に進む。ステップ６９０は図４Ｂのものと同様である。
【０１０５】
ステップ７００において、制御部２１０は、ＲＦ ＩＤタグ２０７を休止モードにする。休止モードにおいて、制御部２１０およびウェイクアップ部２７０だけがイネーブルまたはパワー・オンされており、その他の構成要素２１４、２２２〜２５０、２７６および２８６〜２８８は、ディセーブルまたはパワー・ダウンされる。その後、手順は図６Ａのステップ５３４に戻る。
【０１０６】
発明者たちは、ＲＦ ＩＤタグが物理的な量または状態を検出してその検出した物理的な量または状態を表すデータを蓄積しても、その蓄積された検出データを読み取る前にＲＦ ＩＤタグがターンオフされると、リーダ／ライタ装置によってＲＦ ＩＤタグからその蓄積された検出データを読み取り損なうことがある、と認識した。また、発明者たちは、いったんＲＦ ＩＤタグの電源スイッチがオフ状態にされると、読み出されなかったＲＦ ＩＤタグに蓄積された検出データが消去されることがある、と認識した。
【０１０７】
発明者たちは、ＲＦ ＩＤタグの電源スイッチがオフ状態にされる前に、ＲＦ ＩＤタグからその蓄積された検出データをリーダ／ライタ装置によって読み取られるようにする必要がある、と認識した。
【０１０８】
図７は、本発明の実施形態による、アクティブ型非接触情報記憶装置としてのアクティブ型ＲＦ ＩＤタグ２０４の関連部分の構成のみを示している。ＲＦ ＩＤタグ２０４に対して図１のリーダ／ライタ装置３０２を用いることができる。
【０１０９】
図７を参照すると、ＲＦ ＩＤタグ２０４は、図５のＲＦ ＩＤタグ２０３の構成要素２１０〜２１５、２２２〜２９４、および２９９に加えて、警報（アラーム）を表示する例えばＬＥＤまたは音響発生器のような表示器（ＩＮＤ）２９６、およびメモリ２１４内の領域２１８に設けられた読取り済みフラグ（ＦＬＧ）２１６を含んでいる。また、制御部２１０は、構成要素２１５および２９９に加えてフラグ管理部２１７を有する。判定部２１５は、電源スイッチ２９４のオン／オフ状態を判定し、フラグ２１６のオン／オフ状態（値１／０）を判定し、表示器２９６に警報を表示する。フラグ管理部２１７は、データ読み取り部２８８によって読み取られた新しい検出値データがメモリ２１４に格納されると読取り済みフラグ２１６をオフ状態（値０）に設定し、データ生成部２２２によってその蓄積された検出値データの送信が完了すると読取り済みフラグ２１６をオン状態（値１）に設定する。ＲＦ ＩＤタグ２０４の他の構成は、図１および５のＲＦ ＩＤタグ２０２および２０３のものと同様である。
【０１１０】
図８Ａ〜８Ｃは、リーダ／ライタ装置３０４等によって送信される異なるコマンドを含むフレームの構成の例を示している。
【０１１１】
図８Ａにおいて、タグＩＤ要求コマンドのフレームは、スタート・バイト、タグＩＤ要求コマンド、データ長、データ（またはダミー・データ）、エンド・バイト、チェック・バイト（ＣＲＣ）のフィールドを含んでいる。
【０１１２】
図８Ｂにおいて、検出値データ読取り要求コマンドのフレームは、スタート・バイト、検出値データ読取り要求コマンド、データ長、データ（またはダミー・データ）、エンド・バイト、チェック・バイト（ＣＲＣ）のフィールドを含んでいる。
【０１１３】
図８Ｃにおいて、フラグ設定要求コマンドのフレームは、スタート・バイト、フラグ設定要求コマンド、フラグ値（０／１）、データ長、データ（またはダミー・データ）、エンド・バイト、チェック・バイト（ＣＲＣ）のフィールドを含んでいる。
【０１１４】
図９は、本発明の実施形態による、アクティブ型ＲＦ ＩＤタグ２０４に用いられるリーダ／ライタ装置３０２によって実行される処理のフローチャートを示している。図１０Ａ〜１０Ｃは、アクティブ型ＲＦ ＩＤタグ２０４によって実行される処理のフローチャートを示している。
【０１１５】
図９を参照すると、ステップ４０１において、リーダ／ライタ装置３０２の制御部３１０は、ホスト・コンピュータから受け取った検出データ読取り要求があるかどうかを判定する。検出データ読取り要求があるまでステップ４０１は繰り返される。検出データ読取り要求があると判定された場合、手順は送信処理のステップ４１３および受信処理のステップ４２２に進む。
【０１１６】
ステップ４１３において、制御部３１０は検出データ要求コマンドおよび関連する情報をデータ生成部３２２に供給する。データ生成部３２２は、制御部３１０から受け取ったタグ情報要求コマンドまたは検出データ読取り要求コマンド等を含むデータを所定の暗号方式に従って暗号鍵Ｋｅを用いて暗号化し、その暗号データを所定の符号化方式に従って符号化し、送信部３３０は、図２Ａの送信処理４２の時間期間にその符号化データでキャリアを変調して周波数ｆ１のＲＦ信号を送信する。
【０１１７】
ステップ４１５において、制御部２１０はコマンドに対する応答を受信したかどうかを判定する。応答を受信しなかったと判定された場合は、手順はステップ４１３に戻る。応答を受信したと判定された場合は、手順はこのルーチンを出る。
【０１１８】
ステップ４２２〜４３６は図３のものと同様である。それによって、リーダ／ライタ装置３０２は、ＲＦ ＩＤタグ２０４に蓄積されている物理的な量または状態の検出データを受信してメモリ３１４に格納しホスト・コンピュータに供給する。
【０１１９】
図１０Ａを参照すると、ステップ５１２において、ＲＦ ＩＤタグ２０４の制御部２１０の判定部２１５は、電源スイッチ２９４が現在オン状態かどうかを判定する。電源スイッチ２９４がオン状態であると判定された場合は、ステップ５３４に進む。
【０１２０】
ステップ５１２において電源スイッチ２９４がオン状態でないと判定された場合は、ステップ５１４において、制御部２１０の判定部２１５は、読取り済みフラグＦＬＧ２１６がオン状態（値１）かどうかを判定する。フラグＦＬＧ２１６が給電のオン状態であると判定された場合は、ステップ５２０において、制御部２１０は電源制御部２９２、即ちＲＦ ＩＤタグ２０５の電源をオフ状態に制御する。
【０１２１】
ステップ５１４においてフラグＦＬＧ２１６がオン状態でないと判定された場合は、ステップ５１６において、判定部２１５は、表示器２９６に警報を表す状態の表示または表示器２９６の点灯を開始する。その警報を表す状態の表示は、視覚的表示および／または可聴表示であってもよい。この表示は、電源制御部２９２が給電のオフ状態になったときに終了する。ステップ５１６の後、手順はステップ５１２に戻る。
【０１２２】
ユーザは、表示器２９６の警報の表示によって、リーダ／ライタ装置３０２によって読み取られていないまたは未送信の検出データがＲＦ ＩＤタグ２０４のメモリ２１４内に存在することを認識する。ユーザは、電源スイッチ２９４を再び手動でオン状態にする。電源スイッチ２９４がオン状態にされると、ステップ６８０〜６９０において未送信の蓄積された検出データが送信され、図１０Ｃのステップ６９４において読取り済みフラグ２１６がオン状態にされ、その後で電源スイッチ２９４が再びオフ状態にされると、ステップ５１２〜５２０において電源制御部２９２がオフ状態にされる。
【０１２３】
代替構成として、図１０Ａのステップ５１６の後、破線矢印で示されているように、手順はステップ５３４に進んでもよい。即ち蓄積された検出データが未送信の場合にステップ７４８〜５２９において送信され、図１０Ｃのステップ６９４において読取り済みフラグ２１６がオン状態にされた後で、電源がオフ状態にされてもよい。
【０１２４】
図１０Ａにおいて、ステップ５３４は図６Ａのものと同様である。ステップ５３４においてウェイクアップ信号がオン状態を示していないと判定された場合は、手順はステップ５１２に戻る。ステップ６２２〜６４０は図６Ａのものと同様である。
【０１２５】
ステップ６４０の後のステップ６４２において、制御部２１０はメモリ制御部２７６を一時的にイネーブルし、メモリ制御部２７６はデータ読取部２８８からの現在の検出温度値をメモリ２１４の検出データ格納領域２１８に格納する。データ読取部２８８は、メモリ制御部２７６によって例えば検出温度値のような検出値データが読み出されたとき、その読み出しをフラグ管理部２１７に通知する。代替構成として、イネーブル／ディセーブル制御信号発生部２９９は、メモリ制御部２７６に、データ読取部２８８の検出値データをメモリ２１４の検出データ格納領域２１８に格納させたときに、その格納または読み出しをフラグ管理部２１７に通知してもよい。フラグ管理部２１７は、データ読取部２８８の検出値データの読み出しまたは格納の通知に応答して、読取り済みフラグ２１６をオフ状態（値０）に設定する。ステップ６４４において、制御部２１０はデータ読取部２８８、メモリ制御部２７６およびメモリ２１４をディセーブルする。その後、手順は図１０Ｂのステップ６５２に進む。
【０１２６】
図１０Ｂを参照すると、ステップ６５２〜６７２は図６Ｂのものと同様である。ステップ７５２のＮＯ分岐の後、手順はステップ５１２に戻る。ステップ６５９の後、手順は図１０Ｃのステップ７００へ進む。ステップ６７２の後、手順は図１０Ｃのステップ６７４に進む。
【０１２７】
図１０Ｃを参照すると、ステップ６７４は図６Ｃのものと同様である。ステップ６７４において受信コマンドがパラメータ設定要求コマンドであると判定された場合は、手順はステップ６８６に進む。図１０Ｃの右側のステップ６８６〜６９０は図６Ｃのものと同様である。
【０１２８】
ステップ６７４において受信コマンドが検出値データ読取り要求コマンドであると判定された場合は、手順はステップ６８０に進む。図１０Ｃの左側のステップ６８０〜６９０および７００は図６Ｃのものと同様である。ステップ６８２および６８６における格納された検出値データの読み取りおよび送信によって、メモリ２１４の検出データ格納領域２１８に格納されていた新しい検出値データがリーダ／ライタ装置３０２に送信される。
【０１２９】
左側のステップ６９０の後のステップ６９４において、フラグ管理部２１７は、読取り済みフラグ７１６をオン状態（値１）に設定する。そのフラグは、メモリ２１４の検出データ格納領域２１８に格納されていた新しい検出値データがリーダ／ライタ装置３０２に送信済みであることを示す。その後、手順はステップ７００に進む。ステップ７００の後、手順は図１０Ａのステップ５１２に戻る。
【０１３０】
このように、図７〜１０Ｃの実施形態によれば、ＲＦ ＩＤタグ２０４において、ユーザによって電源スイッチ２９４がオフ状態にされたときに、未送信の蓄積された検出データが存在するかどうかを判定し、未送信の蓄積された検出データが存在する場合には、電源制御部２９２がオフ状態にされることなく表示器２９６に警告が表示される。それによって、蓄積された検出データが送信された後で、ＲＦ ＩＤタグ２０４の電源をオフ状態にすることができる。従って、ＲＦ ＩＤタグ２０４に蓄積された検出データが消失するのを防止できる。
【０１３１】
図１１は、本発明の別の実施形態による、アクティブ型非接触情報記憶装置としてのアクティブ型ＲＦ ＩＤタグ２０５の関連部分の構成のみを示している。ＲＦ ＩＤタグ２０５に対して図１のリーダ／ライタ装置３０２を用いることができる。
【０１３２】
図１１を参照すると、ＲＦ ＩＤタグ２０５は、図７のＲＦ ＩＤタグ２０４と同様の構成要素２２２〜２９９を含んでいる。フラグ管理部２１７は、データ読み取り部２８８によって読み取られた新しい検出値データがメモリ２１４に格納されると読取り済みフラグ２１６をオフ状態（値０）に設定し、フラグ設定コマンドを受信部２５０によって受信しデータ復号部２４２によって復号されると読取り済みフラグ２１６をオン状態（値１）に設定する。そのフラグ設定コマンドは、その検出値データを受信したリーダ／ライタ装置３０２によって送信される。ＲＦ ＩＤタグ２０５の他の構成は、図７のＲＦ ＩＤタグ２０４のものと同様である。
【０１３３】
図１２は、本発明のその実施形態による、アクティブ型ＲＦ ＩＤタグ２０５に用いられるリーダ／ライタ装置３０２によって実行される処理のフローチャートを示している。図１３Ａ〜１３Ｆは、アクティブ型ＲＦ ＩＤタグ２０５によって実行される処理のフローチャートを示している。
【０１３４】
図１２を参照すると、ステップ４０１、４１３〜４１５、および４２２〜４３６は、図９のものと同様である。ステップ４１５において応答を受信したと判定された場合は、ステップ４１６において、リーダ／ライタ装置３０２の制御部３１０は、フラグ値１を有するフラグ設定コマンドを生成してデータ生成部３２２に供給する。
【０１３５】
ステップ４１７において、制御部３１０はフラグ設定コマンドおよび関連する情報をデータ生成部３２２に供給する。データ生成部３２２は、制御部３１０から受け取ったフラグ設定コマンド等を含むデータを所定の暗号方式に従って暗号鍵Ｋｅを用いて暗号化し、その暗号データを所定の符号化方式に従って符号化し、送信部３３０は、図２Ａの送信処理４２の時間期間にその符号化データでキャリアを変調して周波数ｆ１のＲＦ信号を送信する。
【０１３６】
ステップ４１９において、制御部２１０はＲＦ ＩＤタグ２０５からフラグ設定コマンドに対する応答を受信したかどうかを判定する。応答を受信しなかったと判定された場合は、手順はステップ４１７に戻る。応答を受信したと判定された場合は、手順はこのルーチンを出る。
【０１３７】
図１３Ａにおいて、ステップ５１２〜５３４、および６２２〜６４４は図１０Ａのものと同様である。この場合、ステップ５１６の後、手順は図１３Ｄのステップ６８０に進む。
【０１３８】
図１３Ｂにおいて、ステップ６５２〜６７２は図１０Ｂのものと同様である。
【０１３９】
図１３Ｃを参照すると、ステップ６７５において、制御部２１０は、受信コマンドが、フラグ設定要求コマンドか、または検出値データ読取り要求コマンドかを判定する。それがフラグ設定要求コマンドであると判定された場合は、手順はステップ６８６に進む。図１０Ｃの右側のステップ６８６〜６９０は図６Ｃのものと同様である。ステップ６８６において制御部２１０は応答を送信する。
【０１４０】
右側のステップ６９０の後のステップ６９５において、フラグ管理部２１７は、読取り済みフラグ７１６をオン状態（値１）に設定する。そのフラグは、メモリ２１４の検出データ格納領域２１８に格納されていた新しい検出値データがリーダ／ライタ装置３０２によって受信され読み取り済みであることを示す。その後、手順はステップ７００に進む。
【０１４１】
図１３Ｄを参照すると、ステップ５１６（図１３Ａ）の後の破線で囲まれたステップ６８０〜６９０は図１３Ｃの左側のものと同様である。それによって、ステップ５１６において警報が発生した後、メモリ２１４の検出データ格納領域２１８に格納されている検出データが読み出されてリーダ／ライタ装置３０２に送信される。リーダ／ライタ装置３０２は、図１２のステップ４１３においてその検出データを受信すると、図１２のステップ４１６〜４１７においてフラグ設定要求コマンドを送信し返す。ステップ６９０の後、手順は図１３Ｅのステップ６５６に進む。
【０１４２】
図１３Ｅを参照すると、ステップ６５６〜６７２は図１３Ｂのものと同様である。それによって、制御部２１０は、検出データの送信後に、リーダ／ライタ装置３０２からフラグ設定要求コマンドを受信するのを待つ。ステップ６５９の後、手順は図１３Ａのステップ５１２に戻る。ステップ６７２の後、手順は図１３Ｆのステップ６７７に進む。
【０１４３】
図１３Ｆを参照すると、ステップ６７７において、制御部２１０は、受信コマンドがフラグ設定要求コマンドかどうかを判定する。それがフラグ設定要求コマンドでないと判定された場合は、手順は図１３Ａのステップ５１２に戻る。それによって、図１３Ａのステップ５１２、５１４および５１６（警報）、および図１３Ｄ（データ再送）および１３Ｅ（コマンド受信）のステップ６８０〜６７２が繰り返される。ステップ６７７において、受信コマンドがフラグ設定要求コマンドであると判定された場合は、手順はステップ６８６に進む。
【０１４４】
ステップ６８６〜６９５は図１３Ｃの右側のものと同様である。それによって、ＲＦ ＩＤタグ２０５は、リーダ／ライタ装置３０２からフラグ設定要求コマンドを受信して、読取り済みフラグ２１６をオン状態に設定する。ステップ６９５の後、手順は、休止モードを経ることなく図１３Ａのステップ５２０に進む。ステップ５２０において、制御部２１０は電源制御部２９２をオフ状態に制御する。
【０１４５】
図１４は、本発明のさらに別の実施形態による、アクティブ型非接触情報記憶装置としてのアクティブ型ＲＦ ＩＤタグ２０６の関連部分の構成のみを示している。ＲＦ ＩＤタグ２０６に対して図１のリーダ／ライタ装置３０２を用いることができる。この場合、リーダ／ライタ装置３０２は、図１２のフローチャートに従って動作する。
【０１４６】
図１４を参照すると、ＲＦ ＩＤタグ２０６は、図１１のＲＦ ＩＤタグ２０５と同様の構成要素を具えている。フラグ管理部２１７は、データ読み取り部２８８によって読み取られた新しい検出値データがメモリ２１４の検出データ格納領域２１８に格納されると読取り済みフラグ２１６をオフ状態（値０）に設定し、リーダ／ライタ装置３０２からのフラグ設定コマンドを受信部２５０およびデータ復号部２４２によって受信および復号されると読取り済みフラグ２１６をオン状態（値１）に設定する。ＲＦ ＩＤタグ２０６の他の構成は、図７のＲＦ ＩＤタグ２０４のものと同様である。
【０１４７】
図１５Ａ〜１５Ｆは、アクティブ型ＲＦ ＩＤタグ２０６によって実行される処理のフローチャートを示している。
【０１４８】
図１５Ａのステップ５１２〜５３４および６２２〜６４４は、図１３Ａのものと同様である。図１５Ｂのステップ６５２〜６７２は、図１３Ｂのものと同様である。
【０１４９】
図１５Ｃを参照すると、ステップ６７５は図１３Ｃのものと同様である。ステップ６７５において受信コマンドがフラグ設定要求コマンドであると判定された場合は、ステップ６７６において、判定部２１５は、読取り済みフラグ２１６がオフ状態（値０）かどうかを判定する。フラグ２１６がオフ状態でない、即ちフラグ２１６がオン状態であると判定された場合は、手順は図１５Ａのステップ５１２に戻る。それによって、フラグ２１６がオフ状態でない場合、即ち未送信の検出データが存在しない場合には、検出データ要求コマンドを受信しても、制御部２１０は、メモリ２１４の検出データ格納領域２１８に蓄積された検出データを送信させない。それによって、ＲＦ ＩＤタグ２０６は不必要に検出データを送信することを回避する。また、それによって複数のＲＦ ＩＤタグ間の送信の衝突の確率を減らすことができる。
【０１５０】
ステップ６７６においてフラグ２１６がオフ状態であると判定された場合は、手順はステップ６８０に進む。図１５Ｃの左側のステップ６８０〜７００は図１３Ｃのものと同様である。図１５Ｃの右側のステップ６８６〜６９５は図１３Ｃのものと同様である。
【０１５１】
図１５Ｄのステップ６８０〜６９０は、図１３Ｄのものと同様である。図１５Ｅのステップ６５６〜６７２は、図１３Ｅのものと同様である。図１５Ｆのステップ６７７〜６９５は、図１３Ｆのものと同様である。
【０１５２】
図１５Ｃのステップ６７６は、図１０Ｃに破線矢印で示されているように、図１０Ｃのステップ６７４と７８０の間に、同様の形態で配置してもよい。
【０１５３】
以上の説明では、本発明をＲＦ ＩＤタグに関連して説明したが、これに限定されることなく、本発明が非接触ＩＣカードにも適用できることは、この分野の専門家には理解されるであろう。
【０１５４】
以上説明した実施形態は典型例として挙げたに過ぎず、その各実施形態の構成要素を組み合わせること、その変形およびバリエーションは当業者にとって明らかであり、当業者であれば本発明の原理および請求の範囲に記載した発明の範囲を逸脱することなく上述の実施形態の種々の変形を行えることは明らかである。
【図面の簡単な説明】
【０１５５】
【図１】図１は、アクティブ型非接触情報記憶装置としてのアクティブ型ＲＦ ＩＤタグとリーダ／ライタ装置の構成を示している。
【図２】図２Ａは、リーダ／ライタ装置のタグ情報要求コマンドを搬送するＲＦ信号の送信処理のタイムチャートを示している。図２Ｂは、リーダ／ライタ装置２の受信待ち状態および受信ＲＦ信号の受信処理のタイムチャートを示している。図２Ｃは、アクティブ型ＲＦ ＩＤタグのキャリア・センス、受信ＲＦ信号の受信処理、および認証成功の場合における応答を搬送するＲＦ信号の送信処理のタイムチャートを示している。
【図３】図３は、リーダ／ライタ装置によって実行される処理のフローチャートを示している。
【図４Ａ】図４Ａおよび４Ｂは、アクティブ型ＲＦ ＩＤタグによって実行される処理のフローチャートを示している。
【図４Ｂ】(図4Aで説明)
【図５】図５は、物理的量を検出して検出値データを蓄積するよう変形されたアクティブ型非接触情報記憶装置としてのアクティブ型ＲＦ ＩＤタグの構成を示している。
【図６Ａ】図６Ａ〜６Ｃは、図５のアクティブ型ＲＦ ＩＤタグによって実行される処理のフローチャートを示している。
【図６Ｂ】(図6Aで説明)
【図６Ｃ】(図6Aで説明)
【図７】図７は、本発明の実施形態による、アクティブ型非接触情報記憶装置としてのアクティブ型ＲＦ ＩＤタグの関連部分の構成を示している。
【図８】図８Ａ〜８Ｃは、リーダ／ライタ装置によって送信される異なるコマンドを含むフレームの構成の例を示している。
【図９】図９は、本発明の実施形態による、アクティブ型ＲＦ ＩＤタグに用いられるリーダ／ライタ装置によって実行される処理のフローチャートを示している。
【図１０Ａ】図１０Ａ〜１０Ｃは、アクティブ型ＲＦ ＩＤタグによって実行される処理のフローチャートを示している。
【図１０Ｂ】(図10Aで説明)
【図１０Ｃ】(図10Aで説明)
【図１１】図１１は、本発明の別の実施形態による、アクティブ型非接触情報記憶装置としてのアクティブ型ＲＦ ＩＤタグの関連部分の構成を示している。
【図１２】図１２は、本発明の実施形態による、アクティブ型ＲＦ ＩＤタグに用いられるリーダ／ライタ装置によって実行される処理のフローチャートを示している。
【図１３Ａ】図１３Ａ〜１３Ｆは、アクティブ型ＲＦ ＩＤタグによって実行される処理のフローチャートを示している。
【図１３Ｂ】(図13Aで説明)
【図１３Ｃ】(図13Aで説明)
【図１３Ｄ】(図13Aで説明)
【図１３Ｅ】(図13Aで説明)
【図１３Ｆ】(図13Aで説明)
【図１４】図１４は、本発明のさらに別の実施形態による、アクティブ型非接触情報記憶装置としてのアクティブ型ＲＦ ＩＤタグの関連部分の構成のみを示している。
【図１５Ａ】図１５Ａ〜１５Ｆは、アクティブ型ＲＦ ＩＤタグによって実行される処理のフローチャートを示している。
【図１５Ｂ】(図15Aで説明)
【図１５Ｃ】(図15Aで説明)
【図１５Ｄ】(図15Aで説明)
【図１５Ｅ】(図15Aで説明)
【図１５Ｆ】(図15Aで説明)
【符号の説明】
【０１５６】
２０４  アクティブ型ＲＦ ＩＤタグ
２１０  制御部
２１４  メモリ
２７６  メモリ制御部
２８６  センサ
２８８  データ読取部
３０２  リーダ／ライタ装置
３１０  制御部
３１４  メモリ
【図１】
0005266762.tif 000002
【図２】
0005266762.tif 000003
【図３】
0005266762.tif 000004
【図４Ａ】
0005266762.tif 000005
【図４Ｂ】
0005266762.tif 000006
【図５】
0005266762.tif 000007
【図６Ａ】
0005266762.tif 000008
【図６Ｂ】
0005266762.tif 000009
【図６Ｃ】
0005266762.tif 000010
【図７】
0005266762.tif 000011
【図８】
0005266762.tif 000012
【図９】
0005266762.tif 000013
【図１０Ａ】
0005266762.tif 000014
【図１０Ｂ】
0005266762.tif 000015
【図１０Ｃ】
0005266762.tif 000016
【図１１】
0005266762.tif 000017
【図１２】
0005266762.tif 000018
【図１３Ａ】
0005266762.tif 000019
【図１３Ｂ】
0005266762.tif 000020
【図１３Ｃ】
0005266762.tif 000021
【図１３Ｄ】
0005266762.tif 000022
【図１３Ｅ】
0005266762.tif 000023
【図１３Ｆ】
0005266762.tif 000024
【図１４】
0005266762.tif 000025
【図１５Ａ】
0005266762.tif 000026
【図１５Ｂ】
0005266762.tif 000027
【図１５Ｃ】
0005266762.tif 000028
【図１５Ｄ】
0005266762.tif 000029
【図１５Ｅ】
0005266762.tif 000030
【図１５Ｆ】
0005266762.tif 000031